(57)【要約】【課題】除湿機の持ち運び時の手の痛みを防止する。【解決手段】底板２と左右一対の側板３・４によって枠体１を形成し、前記側板３・４上部に一体に取手部６を備えた除湿機に於いて、右取手部４と左取手部３の表面にそれぞれゴム又は発泡樹脂製のクッション材８を貼り付け、このクッション材８の端部８ａを右取手部６ａと左取手部６ｂの上下の合わせ目に設けた隙間６ｃに挟みこみ、取手部表面の合わせ目に略直角で、取手部の前方と後方にビードを設けクッション材８貼り付けのガイドにしたものである。【選択図】図２
2008157492.tif 000002
【特許請求の範囲】
【請求項１】
底板と左右一対の側板によって枠体を形成し、前記側板上部に一体に取手部を備えた除湿機に於いて、右取手部と左取手部の表面にそれぞれゴム又は発泡樹脂製のクッション材を貼り付け、このクッション材の端部を右取手部と左取手部の上下の合わせ目に設けた隙間に挟むことを特徴とする除湿機。
【請求項２】
前記取手部表面の合わせ目に略直角で、取手部の前方と後方にビードを設け前記クッション材貼り付けのガイドとしたことを特徴とする請求項１記載の除湿機。
【請求項３】
前記取手部表面の合わせ目に略直角で、取手部の前方と後方に段差を設け、この段差の間を凹ませて凹部を設け、前記段差をクッション材貼り付けのガイドとしたことを特徴とする請求項１記載の除湿機。
【発明の詳細な説明】
【技術分野】
【０００１】
この発明は、一般家庭で使用される小型の除湿機に関するものである。
【背景技術】
【０００２】
従来よりこの種の除湿機では、内部に圧縮機や熱交換器、ファンモータ等を備えると共に、除湿された結露水を蓄える水タンクを備えているので、乾燥時の重量でも約８ｋｇ、水タンク満タン時には１０ｋｇ以上の重量になり、持ち運びには手の平にかなりの負担がかかるものであった。（例えば、特許文献１参照）
【特許文献１】特開２００４−３４０４６０号公報
【発明の開示】
【発明が解決しようとする課題】
【０００３】
しかしながら、前記従来の除湿機に於いては、側板上部に一体に形成された取手部は枠体の硬いプラスチックであるので持ち運びの際に手の平がとても痛いものであった。
また、取手部に単にゴムや発泡樹脂製のクッション材を貼り付けた場合には、メンテナンスで側板を取り外した時に、クッション材を剥取ったり、左右の側板で切り離す必要が有るために、メンテナンス後の除湿機組み立て時に新しいクッション材を貼り付ける必要が有った。
【課題を解決するための手段】
【０００４】
この発明はこの点に着目し上記欠点を解決する為、底板と左右一対の側板によって枠体を形成し、前記側板上部に一体に取手部を備えた除湿機に於いて、右取手部と左取手部の表面にそれぞれゴム又は発泡樹脂製のクッション材を貼り付け、このクッション材の端部を右取手部と左取手部の上下の合わせ目に設けた隙間に挟むようにしたものである。
また、前記取手部表面の合わせ目に略直角で、取手部の前方と後方にビードを設け前記クッション材貼り付けのガイドとしたものである。
また、前記取手部表面の合わせ目に略直角で、取手部の前方と後方に段差を設け、この段差の間を凹ませて凹部を設け、前記段差をクッション材貼り付けのガイドとしたものである。
【発明の効果】
【０００５】
この発明によれば、取手部のクッション材によって持ち運びの際に手の平の痛みがなくなり、持ち運びが簡単になった。
また、メンテナンスで側板を取り外した時に、クッション材を剥取ったり、左右の側板で切り離す必要がなくなり、また、メンテナンス後に新しいクッション材を貼り付ける必要がなくなりメンテナンスが容易になった。
また、クッション材貼り付けのガイドを設けたので、除湿機組み立て時のクッション材の貼り付けが容易になた。
【発明を実施するための最良の形態】
【０００６】
この発明の除湿機を図１〜５に示した一実施例で説明すれば、１は除湿機の枠体で平面縦長で後部から前部に向かうに従ってその幅寸法が徐々に広くなる形状の底板２上の外周形状に沿って上方に形成され左右が略対称の左側板３と右側板４とを設け、左右の側板３・４の上面中央から後方の枠体嵌合部５には取手部６を形成し、この取手部６の前方には操作部７取付用の開口を備え、この操作部７の取付で前方向に向かって徐々に前下がりの傾斜面を形成し、前記底板２と左右の側板３・４と操作部７によって本体の外郭を構成している。
【０００７】
前記取手部６の右取手部６ａと左取手部６ｂの上下の合わせ目には隙間６ｃを設け、右取手部６ａと左取手部６ｂの外表面にはゴムやや発泡樹脂製のクッション材８を右取手部６ａと左取手部６ｂそれぞれに貼り付け、前記クッション材８の上下の端部８ａは、前記隙間６ｃから取手部６の内側の巻き込む様に貼り付けられている。また、前記取手部６表面の合わせ目に略直角で、取手部６の前方と後方に高さ約３ミリのビード９を設けることで、除湿機組み立て時前記クッション材８貼り付け作業時のガイドにしたので、クッション材８を真っ直ぐに正確に取手部６に貼り付けることができるものである。
【０００８】
１０は前記底板２の前後方向の略中央に垂直に取付けられ、前後方向に隔てる仕切板で、この仕切板１０の後方には機械室１１を、前方にはタンク室１２を設け、前記機械室１１の左右対称線上に圧縮機１３が、タンク室１２には前方に引き出して着脱自在のドレンタンク１４を備えている。
【０００９】
１５は前記左側板３の上部に形成された吸込口で、横長のスリットを多数備えた開口が設けられ、左側板３の側面は左斜め後方に向いているので、正面からは吸込口１５が隠れてほとんど見えないものである。
１６は前記右側板４の上面に設けた吹出口で、開いた時に風向板を兼ねる開閉自在の蓋１７によって乾燥空気の吹出方向を右斜め上方向から水平方向に自由にかえることができるものである。
【００１０】
前記吸込口１５の内側には樹脂製の網や不織布からなり、吸入空気に混入するホコリを取り除くフィルタ（図示せず）をそなえている。このフィルタの内側にはフィンチューブ式の熱交換器からなる蒸発器１８と、この蒸発器１８の更に下流には、同じくフィンチューブ式の熱交換器からなる凝縮器１９を設け、この凝縮器１９の下流には送風ファン２０及びこのファン２０を駆動するファンモータ２１が設けられ、前記吸込口１５と吹出口１６の間に形成した送風経路２２の送風を行うものである。
【００１１】
前記凝縮器１９とファンモータ２１の間には、樹脂材料で一体成型された熱交固定部材２３を設け、この熱交固定部材２３は前記モータ２１を取付けると共に送風ファン２０の吸入口２４を備えたファンガイド部２５と、前記蒸発器１８と凝縮器１９のフィンの上面や銅管を固定する上部固定部２６と、蒸発器１８で発生した結露水を受ける水受け皿２７を一体に成形し、前記ファンガイド部２５と上部固定部２６の間と、ファンガイド部２５と水受け皿２７の間に、折曲可能な肉薄部２８を形成し、この肉薄部２８を中心にして約９０度の角度で折り曲げて、蒸発器１８と凝縮器１９を挟み込み固定するものである。
【００１２】
２９はモータ取付部で、前記吸入口２４より立設される足の間を吸込空気が通過するものである。
３０は前記上部固定部２６の左右に突出する上固定片で、前記蒸発器１８、凝縮器１９の銅管等の上部を押さえるものである。
３１は前記水受け皿２７の左右に突出する下固定片で、前記蒸発器１８、凝縮器１９の銅管等の下部を押さえるものである。
【００１３】
前記ファンガイド部２５の下部にはネジ穴用凸部３２を、折曲状態でこの凸部３２に対向する水受け皿２７にはネジ穴３３を備え、ファンガイド部２５と水受け皿２７の折曲状態をネジ３４にて保持する固定手段を備えるものである。
又前記上部固定部２６の下部には爪部３５を、折曲状態でこの爪部３５が係止する、溝又は突起３６をファンガイド部２５の上部に設ける係止手段を備えるものである。
【００１４】
前記圧縮機１３は凝縮器１９とキャピラリーチューブ等の減圧装置（図示せず）と蒸発器１８を冷媒配管で連通して、圧縮機１３の運転により凝縮器１９は高温になり、蒸発器１８は低温になるものである。
【００１５】
前記ドレンタンク１４は枠体１と同様に後部より前方に向かうに従って幅広に形成し、前面下部に大きな容積で設けられている。また、前記ドレンタンク１４は下部前面で前面穴３７に着脱自在に設けられ、ドレンタンク１４装着時に前記水受け皿２７の排水口３８から排水される結露水を溜めるものであり、タンク前面下部にはタンク１４を前面に引き出すためのタンク取手用３９を備えている。
【００１６】
前記操作部７には運転ボタン４０、タイマーボタン４１、運転コース選択ボタン４２等のボタン類と各種ランプや発光ダイオードによる表示部４３を備え、前記枠体１の左右両側面間の寸法を後部より前方に向かうに従って幅広に形成し、ドレンタンク１４上方の広い上面に設けたので、とても見やすく操作がしやすいものである。また前記操作部７はリモコン等を使用する場合はボタン類を設けずに表示部４３のみでもよいものである。
４４は制御基板等の電装部品で、前記操作部７の下方で上部固定部２６の上面に位置するものである。
【００１７】
図６を基にこの発明の他の実施例を説明すれば、４５は前記ビード９かえて備えた段差で、前記取手部６表面の合わせ目に略直角で、取手部６の前方と後方に設け、この段差４５の間を凹ませて凹部４６を設け、前記段差４５をクッション材８貼り付けのガイドとしたものである。組み立て時のクッション材８の貼り付け手順を説明すれば、前記右取手部６ａと左取手部６ｂの外表面にクッション材８を右取手部６ａと左取手部６ｂそれぞれに貼り付け、前記クッション材８の上下の端部８ａは、前記隙間６ｃから取手部６の内側の巻き込む様に貼り付けられている。また、前記取手部６表面の合わせ目に略直角で、取手部６の前方と後方に備えた高さ約３ミリの段差４５をの間の凹部４６を除湿機組み立て時前記クッション材８貼り付け作業時のガイドにしたので、クッション材８を真っ直ぐに正確に取手部６に貼り付けることができるものである。
【００１８】
このように、取手部６のクッション材８によって持ち運びの際に手の平の痛みがなくなり、持ち運びが簡単になる。
また、メンテナンスで左右の側板をそれぞれ取り外す時にも、クッション材８貼り付け用の隙間６ｃが設けられているので、左右の側板を別々に分解しても、クッション材８を剥取ったり、左右の側板の間で切り離す必要がなくなり、メンテナンスが容易になった。
また、クッション材貼り付けのガイドを設けたので、除湿機組み立て時のクッション材の貼り付けが容易になた。
【図面の簡単な説明】
【００１９】
【図１】この発明一実施例の斜視図。
【図２】同分解状態の斜視図。
【図３】同側面中央の拡大断面図。
【図４】同クッション材を貼り付けない状態の取手部の拡大平面図。
【図５】同取手部中央正面の拡大断面図。
【図６】他の実施例の側面中央の拡大断面図。
【符号の説明】
【００２０】
１  枠体
２  底板
３  左側板
４  右側板
６  取手部
６ｃ  隙間
８  クッション材
９  ビード
４５  段差
４６  凹部
【図１】
2008157492.tif 000003
【図２】
2008157492.tif 000004
【図３】
2008157492.tif 000005
【図４】
2008157492.tif 000006
【図５】
2008157492.tif 000007
【図６】
2008157492.tif 000008